(57)【特許請求の範囲】
【請求項１】
複数の端子が端子収容室に収容配置される同一形状のコネクタハウジングを、前記端子収容室側を表面としこれと反対側を裏面として前記表面に前記裏面を重ね合わせるようにして複数段に合体するジョイントコネクタにおいて、
前記表面には、前方係合部材と、この前方係合部材に形成された合体突起部と、後方係合部材と、前方ロック部材と、表面後方ロック部材とが設けられると共に、
前記裏面には、前記前方係合部材が挿入される前方係合部材挿入穴と、前記合体突起部が嵌合する合体突起部嵌合穴と、前記後方係合部材が挿入される後方係合部材挿入穴と、前記表面後方ロック部材と係合する裏面後方ロック部材と、前記端子に形成されたタブを前記端子収容室へと貫通させるタブ挿入孔とが設けられており、
前記合体突起部は、前記合体突起部嵌合穴に対して一部がオーバーラップして形成され、前記表面後方ロック部材及び前記裏面後方ロック部材には、それぞれコネクタ仮係止面が形成されており、
前記コネクタハウジングが合体する前の仮置き状態において、前記合体突起部が前記合体突起部嵌合穴の開口周縁部に当接すると共に、前記表面後方ロック部材及び前記裏面後方ロック部材それぞれのコネクタ仮係止面が当接して、合体する前記各コネクタハウジングが平行状態を保持し、且つ少なくとも前記タブの先端が前記タブ挿入孔に挿入されている
ことを特徴とするジョイントコネクタ。
【発明の詳細な説明】
【０００１】
【発明の属する技術分野】
本発明は、同一形状のコネクタハウジングを複数段に重ね合わせて合体したジョイントコネクタに関し、詳細には、合体時においてタブが変形するのを防止すると共に、合体不良を予め検知できるジョイントコネクタに関する。
【０００２】
【従来の技術】
例えば、配線を分岐する分岐コネクタの一例として、同一形状のコネクタハウジングを、複数段に重ね合わせて合体するようにしたジョイントコネクタが提案されている。
【０００３】
かかるジョイントコネクタを構成するコネクタハウジング１０１の表面１０１ａには、図１０及び図１２に示すように、前方係合部材１０２と、後方係合部材１０３と、前方ロック部材１０４と、表面後方ロック部材１０５とが設けられている。一方、裏面１０１ｂには、前方係合部材１０２が挿入される前方係合部材挿入穴１０６と、後方係合部材１０３が挿入される後方係合部材挿入穴１０７と、表面後方ロック部材１０５と係合する裏面後方ロック部材１０８とが形成されている。
【０００４】
上記両コネクタハウジング１０１、１０１を合体させるには、図１０に示すように、一方のコネクタハウジング１０１の表面１０１ａに、他方のコネクタハウジング１０１の裏面１０１ｂを対向させて重ね合わせる。そして、合体前の仮置き状態から、図１１に示すように、これらコネクタハウジング１０１、１０１を上コネクタ合体部材１０９と下コネクタ合体部材１１０とで挟み込むようにして合体させる。
【０００５】
合体前の仮置き状態というのは、図１１に示すように、前方ロック部材１０４を挿入係合させる前方ロック部材係止孔１１１の下端に形成された仮係止面１１２に前記前方ロック部材１０４が当接し、その後方において、図１２に示すように、表面後方ロック部材１０５に形成されたコネクタ仮係止面１０５ａに裏面後方ロック部材１０８のコネクタ仮係止面１０８ａが当接した状態である。
【０００６】
この仮置き状態から両コネクタハウジング１０１、１０１を合体させると、前方係合部材１０２が前方係合部材挿入穴１０６に挿入されると共に、後方係合部材１０３が後方係合部材挿入穴１０７に挿入されて、両コネクタハウジング１０１、１０１が前後方向及び上下方向においてそれぞれにがたつくことなく位置決めされる。
【０００７】
そして、このコネクタハウジング１０１の前方では、前方ロック部材１０４が前方ロック部材係止孔１１１に挿入係合されてハウジング前方部分がロックされ、後方では、表面後方ロック部材１０５と裏面後方ロック部材１０８それぞれの爪部が係合してハウジング後方部分がロックされる。これにより、両コネクタハウジング１０１、１０１は、結合方向において分離することなく結合状態を保持する。
【０００８】
【発明が解決しようとする課題】
ところが、前方ロック部分（前方ロック部材１０４が仮係止面１１２に当接した部分）と、後方ロック部分（表面後方ロック部材１０５及び裏面後方ロック部材１０８のコネクタ仮係止面１０５ａ、１０８ａ同士の当接部分）における当接位置高さが異なるため、図１１に示すように、上に重ねられたコネクタハウジング１０１が前方に傾く。
【０００９】
このため、両コネクタハウジング１０１、１０１を合体させようとすると、結合部分にこじりが発生したり、合体部に破損が生じたり、或いは合体不完全となることがある。
【００１０】
また、上記コネクタハウジング１０１には、図１３に示すように、端子のタブ１１３を端子収容室１１５へと貫通させるタブ挿入孔１１４が裏面１０１ｂに形成されているが、図１１に示す仮置き状態では、タブ１１３の先端が相手ハウジングに対してある距離Ｌを有しており、前記タブ挿入孔１１４に挿入されていない状態にある。
【００１１】
このため、両コネクタハウジング１０１、１０１を合体させた場合、タブ１１３がタブ挿入孔１１４に挿入されず、当該タブ１１３が潰れて変形することがある。特に、図１１に示すように、コネクタハウジング１０１の傾きが大きい場合には、なおさらタブ１１３がタブ挿入孔１１４に拾われ難くなる。タブ１１３がタブ挿入孔１１４に挿入されずに変形すると、ハウジングの重ね合わせ面に挟まれて合体不良を起こし、上下の端子間の導通が取れなくなる。
【００１２】
そこで本発明は、上記した課題を解決すべく提案されたものであり、合体時においてタブが変形するのを防止すると共に、合体不良を予め検知できるジョイントコネクタを提供することを目的とする。
【００１３】
【課題を解決するための手段】
請求項１の発明は、複数の端子が端子収容室に収容配置される同一形状のコネクタハウジングを、前記端子収容室側を表面としこれと反対側を裏面として前記表面に前記裏面を重ね合わせるようにして複数段に合体するジョイントコネクタにおいて、前記表面には、前方係合部材と、この前方係合部材に形成された合体突起部と、後方係合部材と、前方ロック部材と、表面後方ロック部材とが設けられると共に、前記裏面には、前記前方係合部材が挿入される前方係合部材挿入穴と、前記合体突起部が嵌合する合体突起部嵌合穴と、前記後方係合部材が挿入される後方係合部材挿入穴と、前記表面後方ロック部材と係合する裏面後方ロック部材と、前記端子に形成されたタブを前記端子収容室へと貫通させるタブ挿入孔とが設けられており、前記合体突起部は、前記合体突起部嵌合穴に対して一部がオーバーラップして形成され、前記表面後方ロック部材及び前記裏面後方ロック部材には、それぞれコネクタ仮係止面が形成されており、前記コネクタハウジングが合体する前の仮置き状態において、前記合体突起部が前記合体突起部嵌合穴の開口周縁部に当接すると共に、前記表面後方ロック部材及び前記裏面後方ロック部材それぞれのコネクタ仮係止面が当接して、合体する前記各コネクタハウジングが平行状態を保持し、且つ少なくとも前記タブの先端が前記タブ挿入孔に挿入されていることを特徴とする。
【００１４】
請求項１記載のジョイントコネクタでは、コネクタハウジングが合体する前の仮置き状態において、合体突起部が合体突起部嵌合穴の開口周縁部に当接すると共に、表面後方ロック部材及び裏面後方ロック部材それぞれのコネクタ仮係止面が当接して、合体する各コネクタハウジングが平行状態を保持し、且つ少なくとも前記タブの先端が前記タブ挿入孔に挿入されているので、この平行状態からコネクタハウジング同士を合体させて行くと、前方タブが前記タブ挿入孔の開口周縁部に接触することなくスムーズに当該タブ挿入孔に挿入される。
【００１７】
【発明の実施の形態】
以下、本発明を適用した具体的な実施形態について図面を参照しながら詳細に説明する。本実施形態は、二つの同一コネクタハウジングを上下に重ね合わせて合体させたジョイントコネクタの例である。
【００１８】
＜ジョイントコネクタの構成＞
本実施形態のジョイントコネクタは、図１に示すように、複数の端子１が端子収容室２に収容配置される同一形状のコネクタハウジング３を、前記端子収容室２側を表面３ａとしこれと反対側を裏面３ｂとして前記表面３ａに前記裏面３ｂを重ね合わせるようにして上下２段に合体した構成である。
【００１９】
『コネクタハウジング』
コネクタハウジング３は、図２ないし図４に示すように、複数の端子１を所定間隔を置いて収容する端子収容室２を有した矩形状をなすハウジングとして形成され、表面３ａと裏面３ｂにそれぞれ合体用の突起部及びロック部を備えている。
【００２０】
〔コネクタハウジング表面〕
コネクタハウジング３の表面３ａには、図２に示すように、前方係合部材４と、この前方係合部材４に形成された合体突起部５と、後方係合部材６と、前方ロック部材７と、表面後方ロック部材８と、ハウジングがた詰め部材９とが設けられている。
【００２１】
「前方係合部材」
上記前方係合部材４は、図２及び図４に示すように、相手コネクタとの接続側であってコネクタハウジング３の両サイド部に、それぞれ矩形片として上方に向けて突設されている。かかる前方係合部材４は、ハウジング前側部分における前後方向及び左右方向でのがたつきを防止する役目をする。
【００２２】
「合体突起部」
上記合体突起部５は、図２及び図４に示すように、上記前方係合部材４に一体的に形成されており、上記コネクタハウジング３同士の前後及び左右方向におけるがたつきを詰める機能をする。かかる合体突起部５は、前方係合部材４の内面４ａ側に突出するようにして、該前方係合部材４の先端寄りの位置に形成されている。この合体突起部５の形状及び大きさについては後述する。
【００２３】
「後方係合部材」
上記後方係合部材６は、図２及び図４に示すように、端子収容室２に収容される端子１に接続された電線（図示は省略する）を外方に引き出す電線引出し側であってコネクタハウジング３の両サイド部に、それぞれ矩形片として上方に向けて突設されている。かかる後方係合部材６は、上記前方係合部材４の形成位置よりもさらに外側の位置に設けられており、ハウジング後側部分における前後方向及び上下方向でのがたつきを防止する役目をする。
【００２４】
「前方ロック部材」
上記前方ロック部材７は、図２及び図４に示すように、上記相手コネクタとの接続側であって上記前方係合部材４の先端に突設されている。この前方ロック部材７は、断面略三角形状をなす突起として形成されており、ハウジング前側部分におけるコネクタハウジング３の結合状態をロックする役目をする。
【００２５】
「表面後方ロック部材」
上記表面後方ロック部材８は、図２及び図４に示すように、上記後方係合部材６の基端側であってコネクタハウジング３の表面３ａよりも下がった位置に形成されている。かかる表面後方ロック部材８は、図４（ｂ）に示すように、内方に向かって突設する突起部として形成されており、後述する裏面後方ロック部材１４と係合してハウジング後側部分におけるコネクタハウジング３の結合状態をロックする役目をする。この表面後方ロック部材８には、コネクタハウジング３が合体する前の仮置き状態において、後述する裏面後方ロック部材１４のコネクタ仮係止面１４ａと当接する、テーパ面であるコネクタ仮係止面８ａが形成されている。
【００２６】
「ハウジングがた詰め部材」
上記ハウジングがた詰め部材９は、図２及び図４に示すように、相手コネクタとの接続側であってコネクタ装着方向と略直交する方向に複数突設されている。かかるハウジングがた詰め部材９は、図４に示すように、コネクタハウジング３の裏面３ｂに形成された後述するハウジングがた詰め部材挿入孔１５に挿入嵌合して、当該コネクタハウジング３同士の上下方向におけるがたつきを詰める役目をする。
【００２７】
〔コネクタハウジング裏面〕
コネクタハウジング３の裏面３ｂには、図３に示すように、上記前方係合部材４が挿入される前方係合部材挿入穴１１と、上記合体突起部５が嵌合する合体突起部嵌合穴１２と、上記後方係合部材６が挿入される後方係合部材挿入穴１３と、上記表面後方ロック部材８と係合する裏面後方ロック部材１４と、上記ハウジングがた詰め部材９が挿入されるハウジングがた詰め部材挿入孔１５と、タブ挿入孔１６と、補強リブ１７とが設けられている。
【００２８】
「前方係合部材挿入穴」
上記前方係合部材挿入穴１１は、図３及び図４に示すように、上記前方係合部材４と対向する裏側に止まり穴として形成されている。この前方係合部材挿入穴１１には、上記した前方係合部材４が挿入され、該前方係合部材４の挿入によりハウジング前側部分における前後方向及び上下方向でのがたつきが防止される。
【００２９】
「合体突起部嵌合穴」
上記合体突起部嵌合穴１２は、図３及び図５に示すように、上記合体突起部５と対向する裏側に止まり穴として形成され、上記した前方係合部材挿入穴１１と連結している。この合体突起部嵌合穴１２の内壁には、合体された前記合体突起部５に付勢力を与えてコネクタハウジング３、３同士の合体力を高めるための合体力付与突条部２２が形成されている。
【００３０】
かかる合体突起部嵌合穴１２と合体突起部５とは、図６に示すように、前記合体突起部５が前記合体突起部嵌合穴１２に対してその一部がオーバーラップ（同図網掛けで示す領域）している。すなわち、図５に示すように、合体突起部５の幅Ｗ１が合体突起部嵌合穴１２の開口幅Ｗ２よりも若干大きな幅寸法にされており、コネクタハウジング３、３同士を重ね合わせて合体させたときに、オーバーラップ部分だけ前記合体突起部５が前記合体突起部嵌合穴１２を押し広げるようにして嵌合する。
【００３１】
また、上記コネクタハウジング３が合体する前の仮置き状態において、図９に示すように、上記合体突起部５のＲ形状とされた両先端部分５ａ、５ａ（図５参照）が、上記合体突起部嵌合穴１２のテーパ面として形成された開口両端部分１２ａ、１２ａ（図５参照）に当接する。この開口両端部分１２ａ、１２ａに前記両先端部分５ａ、５ａが当接することによって、コネクタハウジング３のハウジング前方における高さＨ１（以下、ハウジング前方高さＨ１）が決まる。
【００３２】
「後方係合部材挿入穴」
上記後方係合部材挿入穴１３は、図１及び図４に示すように、上記後方係合部材６と対向する裏側に止まり穴として形成されている。この後方係合部材挿入穴１３には、後方係合部材６に形成される段差部６ａが係合して、該後方係合部材６の後方係合部材挿入穴１３からの抜け止めを図るつば部１３ａが形成されている。
【００３３】
「裏面後方ロック部材」
上記裏面後方ロック部材１４は、図３及び図４に示すように、上記表面後方ロック部材８と対向する裏側に形成されている。かかる裏面後方ロック部材１４は、補強リブ１７の外周囲を取り囲むようにして略コ字状に形成された周壁１８の上端側に突設されている。この裏面後方ロック部材１４には、コネクタハウジング３が合体する前の仮置き状態において、上記した表面後方ロック部材８のコネクタ仮係止面８ａと面接触して当接する、テーパ面であるコネクタ仮係止面１４ａが形成されている。上記表面後方ロック部材８と裏面後方ロック部材１４のぞれぞれのコネクタ仮係止面８ａ、１４ａが当接することによって、図８に示すように、コネクタハウジング３のハウジング後方における高さＨ２（以下、ハウジング後方高さＨ２）が決まる。
【００３４】
上記コネクタハウジング３の仮置き状態においては、上記ハウジング前方高さＨ１と上記ハウジング後方高さＨ２とが同じになる。したがって、上下のコネクタハウジング３、３が傾くことなく平行状態を保持することになる。
【００３５】
「ハウジングがた詰め部材挿入孔」
上記ハウジングがた詰め部材挿入孔１５は、図３及び図４に示すように、上記ハウジングがた詰め部材９と対向する裏側に形成されており、上記した両前方係合部材挿入穴１１と連結されて全体で略コ字状をなす孔とされている。このハウジングがた詰め部材挿入孔１５に前記ハウジングがた詰め部材９が挿入嵌合されることで、上記コネクタハウジング３同士の上下方向におけるがたつきが詰められる。
【００３６】
「タブ挿入孔」
上記タブ挿入孔１６は、図３及び図４に示すように、各端子収容室２に収容される端子１に形成されるタブ１９（図１参照）を前記端子収容室２に挿通させるための開口として形成されている。このタブ挿入孔１６は、その開口幅が裏面３ｂ側で裾広がりとされており、上記タブ１９の挿入をスムーズなものとしている。そして、かかるタブ挿入孔１６より端子収容室２へと挿入されたタブ１９は、図１に示すように、端子１に形成されたタブ接触部２０と接触し、上下の端子１、１同士を導通させる。
【００３７】
「補強リブ」
上記補強リブ１７は、図３に示すように、ハウジング後側部分に形成されており、コネクタハウジング３の機械的強度を高める役目をする。そして、この補強リブ１７が形成される部分は、タブ接触部２０における接点部に電線からの振動が伝搬され難くしてタブ接触部２０を保護するために、テーパとされた屈曲形状とされている。
【００３８】
〔コネクタハウジング前面〕
上記コネクタハウジング３の前面３ｃには、図２及び図３に示すように、上記した前方ロック部材７が挿入係止される前方ロック部材係止孔２１が形成されている。この前方ロック部材係止孔２１に前方ロック部材７が挿入係止されることで、ハウジング前側部分におけるコネクタハウジング３の結合状態がロックされる。
【００３９】
＜コネクタハウジングの合体操作＞
次に、コネクタハウジング３の合体方法について説明する。先ず、コネクタハウジング３の各端子収容室２に、電線の一端に接続された端子１をそれぞれ配置する。次に、図７に示すように、一方のコネクタハウジング３の表面３ａに他方のコネクタハウジング３の裏面３ｂを重ね合わせるようにして、これらコネクタハウジング３、３同士を仮置き状態にする。
【００４０】
仮置き状態におけるハウジング前方部分では、図６で示すように合体突起部５が合体突起部嵌合穴１２に対してその一部がオーバーラップしているため、前記合体突起部５が前記合体突起部嵌合穴１２の開口周縁部に当接した状態とされる。また、図９に示すように、合体突起部５の先端部分５ａ、５ａが合体突起部嵌合穴１２の開口両端部分１２ａ、１２ａに当接して、ハウジング前方高さＨ１を保持する。一方、仮置き状態におけるハウジング後方部分では、図８に示すように、表面後方ロック部材８と裏面後方ロック部材１４のぞれぞれのコネクタ仮係止面８ａ、１４ａが当接して、ハウジング後方高さＨ２を保持する。
【００４１】
仮置き状態では、上記ハウジング前方高さＨ１と上記ハウジング後方高さＨ２が同じであるため、上記コネクタハウジング３、３は、図７に示すように、平行状態を保持することになる。また、この仮置き状態では、図７に示すように、タブ１９の先端がタブ挿入孔１６に所定長さＬ分だけ入り込んだ状態にある。
【００４２】
次に、仮置き状態にあるコネクタハウジング３、３同士を、図示しない合体治具を用いて上下方向から押圧する。すると、ハウジング前方では、前方係合部材４が前方係合部材挿入穴１１に、合体突起部５が合体突起部嵌合穴１２に、前方ロック部材７が前方ロック部材係止孔２１に、ハウジングがた詰め部材９がハウジングがた詰め部材挿入孔１５に、タブ１９がタブ挿入孔１６にそれぞれ入り込む。ハウジング後方では、後方係合部材６が後方係合部材挿入穴１３に入り込むと共に、表面後方ロック部材８が裏面後方ロック部材１４と係合する。
【００４３】
これにより、両コネクタハウジング３、３は、前方ロック部材７が前方ロック部材係止孔２１に挿入係合されてハウジング前方部分をロックし、表面後方ロック部材８と裏面後方ロック部材１４とが係合してハウジング後方部分をロックする。そして、上下方向において合体されたコネクタハウジング３、３の各端子１は、タブ１９がタブ接触部２０に接することによって導通される。以上で、ジョイントコネクタが完成する。
【００４４】
本実施形態のジョイントコネクタによれば、コネクタハウジング３が合体する前の仮置き状態において、合体する各コネクタハウジング３、３が平行状態を保持するので、この平行状態からコネクタハウジング３、３同士を合体させて行くと、前方係合部材４が前方係合部材挿入穴１１に、後方係合部材６が後方係合部材挿入穴１３にそれぞれこじることなくスムーズに挿入係合されて、上下コネクタハウジング３、３が傾くことなく合体する。このため、合体部の破損や不完全合体などの合体不良を無くすことができる。
【００４５】
また、仮置き状態において、タブ１９の先端がタブ挿入孔１６に入り込んでいるため、前記タブ１９がタブ挿入孔１６の開口周縁部に接触することなくスムーズに当該タブ挿入孔１６に挿入され、上下の各端子間の導通を確保することができる。例えば、仮置き状態において、タブ１９の先端が予め折れ曲がっている場合には、タブ１９がコネクタハウジング３の裏面３ｂに接触して上に重ねられたコネクタハウジング３が傾く（合体不良検知機構）ため、合体不良であることが検知される。このように、合体前に合体不良が検知されることにより、合体作業を事前に停止することができ、不良品を生産することを未然に防止することができる。
【００４６】
以上、本発明を適用した具体的な実施形態について説明したが、本発明は、上述の実施形態に制限されることなく種々の変更が可能である。
【００４７】
例えば、上述の実施形態では、二つのコネクタハウジング３を上下方向に合体させたが、３つ又は４つ或いはそれ以上のコネクタハウジング３同士を合体させた場合に本発明を適用しても同様の効果がある。特に、複数段にコネクタハウジング３を重ねて行くと、ハウジングの傾きがより一層大きくなってしまうため、本発明を適用することで、ハウジング傾きを無くすことができる。
【００４８】
【発明の効果】
以上の説明からも明らかなように、請求項１記載の発明によれば、コネクタハウジングが合体する前の仮置き状態において、合体突起部が合体突起部嵌合穴の開口周縁部に当接すると共に、表面後方ロック部材及び裏面後方ロック部材それぞれのコネクタ仮係止面が当接して、合体する各コネクタハウジングが平行状態を保持し、且つ少なくともタブの先端がタブ挿入孔に挿入されているので、この平行状態からコネクタハウジング同士を合体させて行くと、前方タブが前記タブ挿入孔の開口周縁部に接触することなくスムーズに当該タブ挿入孔に挿入させることができる。従って、合体部の破損や不完全合体などの合体不良を無くすことができ、組立性を大幅に高めることができると共に、上下の各端子間の導通を確実に確保することができる。
【図面の簡単な説明】
【図１】本実施形態のジョイントコネクタの断面図である。
【図２】コネクタハウジングの表面を示す斜視図である。
【図３】コネクタハウジングの裏面を示す斜視図である。
【図４】コネクタハウジングを示すもので、（ａ）は縦断面図、（ｂ）はハウジング後方部分の要部正面図である。
【図５】コネクタハウジングの合体突起部及び合体突起部嵌合穴部分を拡大して示す要部拡大縦断面図である。
【図６】コネクタハウジングの合体突起部及び合体突起部嵌合穴部分を拡大して示す横断面図である。
【図７】仮置き状態におけるコネクタハウジングを示すもので、（ａ）は縦断面図、（ｂ）はハウジング後方部分の要部正面図である。
【図８】仮置き状態におけるコネクタハウジングのハウジング後方部分の要部拡大正面図である。
【図９】仮置き状態におけるコネクタハウジングのハウジング前方部分の要部拡大縦断面図である。
【図１０】従来のコネクタハウジングを合体させる前の状態を示す側面図である。
【図１１】従来のコネクタハウジングを仮置き状態から合体させる状態を示す側面図である。
【図１２】図１１の仮置き状態におけるハウジング後方部分の要部拡大正面図である。
【図１３】図１１の仮置き状態におけるタブ及びタブ挿入孔部分の要部拡大断面図である。
【符号の説明】
１  端子
２  端子収容室
３  コネクタハウジング
４  前方係合部材
５  合体突起部
６  後方係合部材
７  前方ロック部材
８  表面後方ロック部材
８ａ  コネクタ仮係止面
１２  合体突起部嵌合穴
１３  後方係合部材挿入穴
１４  裏面後方ロック部材
１４ａ  コネクタ仮係止面
１６  タブ挿入孔
１０ａ  テーパ面
１９  タブ
２０  タブ接触部
【図１】
0003670550.tif 000002
【図２】
0003670550.tif 000003
【図３】
0003670550.tif 000004
【図４】
0003670550.tif 000005
【図５】
0003670550.tif 000006
【図６】
0003670550.tif 000007
【図７】
0003670550.tif 000008
【図８】
0003670550.tif 000009
【図９】
0003670550.tif 000010
【図１０】
0003670550.tif 000011
【図１１】
0003670550.tif 000012
【図１２】
0003670550.tif 000013
【図１３】
0003670550.tif 000014